(57)【要約】【課題】  釣り用テンビンには、携行時には線材の方向を揃えてコンパクトな形態とし、使用時には拡げて所定の形態とするものが種々存在しているが、拡げた状態で遠投すると空気抵抗が大きく好ましくない。しかし、畳んだ状態で遠投し着水後にうまく開いてくれるシンプルな構造の両テンビンというものが存在していなかった。【解決手段】  縦割りに二分割された形状の部材を接合して成る支持重錘と、該支持重錘の上部位置に固定され上方に延出すべく配置される固定針金と、該支持重錘の下部位置に配置された回動軸材の左右に、それぞれその一端が可回動に取設されたテンビン部材が配置されるものであって、該縦割りに二分割された部材は、それぞれテンビン部材の回動運動を阻害しない溝穴を形成するための切欠部が、該部材を合体させた時に左右に別れて配置されるよう設けられている。【選択図】  図１
2008220182.tif 000002
【特許請求の範囲】
【請求項１】
縦割りに二分割された形状の部材を接合して成る支持重錘と、該支持重錘の上部位置に固定され上方に延出すべく配置される固定針金と、該支持重錘の下部位置に配置された回動軸材の左右に、それぞれその一端が可回動に取設されたテンビン部材が配置されるものであって、該縦割りに二分割された部材は、それぞれテンビン部材の回動運動を阻害しない溝穴を形成するための切欠部が、該部材を合体させた時に左右に別れて配置されるよう設けられているものであることを特徴とする遠投用両テンビン。
【請求項２】
該縦割りに二分割された形状の部材は、同一の構造である請求項１記載の遠投用両テンビン。
【発明の詳細な説明】
【技術分野】
【０００１】
本発明は、遠投用両テンビンの新規な構造に関するものである。
【背景技術】
【０００２】
釣りに用いられるテンビン（天秤）には、用途や目的に応じて種々多数の形態がある。その中に、仕掛を遠投することを前提とするものがある。基本形状は、上端は道糸に、下端は重錘に連結されて鉛直方向に配置される「線材」と、この線材から水平或いは斜め上方方向に配置される線材（針金）である「テンビン部材」（通常は「腕」と呼ばれる）とで構成されるものであり、重錘に直接線材が固定されているものも多い。
テンビン自体の目的は、道糸とハリスとが、仕掛投入前、沈降中、着底時、引き上げ中いずれの場面においても絡むことがないようにすることであるが、副次的な目的として、魚信を敏感に取る、潮流負荷を軽減する、等々のために、連結部分にはねじれを吸収させるためのヨリモドシその他が付設されたり、テンビン部材の形状を曲線で形成するなどの工夫が凝らされていることも多い。
【０００３】
また、テンビンは鉛直方向に伸びる線材と、水平方向に伸びる線材とを有するものであるため、この形態のまま持ち運ぶと大変嵩張る。そこで、携行時には線材の方向を揃えてコンパクトな形態とし、使用時には拡げて所定の形態とするための様々な工夫が従来より提案されており、実際にそうした工夫を凝らした製品も数多く見られる。
【特許文献１】特開２００５−２１８３２５号公報
【発明の開示】
【発明が解決しようとする課題】
【０００４】
しかし遠投を前提とするテンビンの場合、飛行中に空気抵抗を大きく受けてしまう全体形状であることは好ましくない。できるだけこの抵抗を小さくするための工夫も凝らされているが、「テンビン部材」自体は飛行方向に対して垂直、即ち最も飛行距離をロスさせる姿勢である点は解消されないままであった。
【課題を解決するための手段】
【０００５】
そこで本発明者はこうした現状に鑑み、長年鋭意研究の結果遂に本発明を成したものでありその特徴とするところは、縦割りに二分割された形状の部材を接合して成る支持重錘と、該支持重錘の上部位置に固定され上方に延出すべく配置される固定針金と、該支持重錘の下部位置に配置された回動軸材の左右に、それぞれその一端が可回動に取設されたテンビン部材が配置されるものであって、該縦割りに二分割された部材は、それぞれテンビン部材の回動運動を阻害しない溝穴を形成するための切欠部が、該部材を合体させた時に左右に別れて配置されるよう設けられている点にある。
【０００６】
即ち本発明は、前記離反部材を着水後に開くものとすることを目的とする発明である。着水後に開くということは、飛行中離反部材は飛行方向にほぼ沿った姿勢であることを意味し、空気抵抗を小さくするという目的を理想的に果たす構造である。
【０００７】
更に本発明は「両テンビン」であり、テンビン部材は２本ある。この２本のテンビン部材の開閉の回動軸は重錘中に存在している。この重錘（支持重錘）は、二分割されたものを合体させて成るものであり、合体される面（対向面）に切欠部を設けている。この切欠部は、合体後にはテンビン部材の回動運動を阻害しない溝穴として機能する。
【０００８】
またこの切欠部は、合体させた時に左右に別れて配置されるよう設けられている。従って、合体後手前側の分割部材の切欠部が右側に開口していれば、後方側の分割部材の切欠部は左側に開口することになる。そしてテンビン部材はそれぞれの開口から１本ずつ出ている形となる。支持重錘内部に配置された回動軸に各テンビン部材の一端が可回動に取り付けられているが、右側のテンビン部材は後方側分割部材へ移動することはなく、左側のテンビン部材は手前側分割部材へ移動することはない。従って、各テンビン部材が開いてゆくときの回動方向はそれぞれ逆方向であるが、回動軸部分で各テンビン部材の端部が接触してその摩擦力により回動が阻害されるということがない。なおこの回動軸の構造については特に限定するものではなく、支持重錘本体と一体的に形成されていても別体であっても良いものとする。
【０００９】
「固定針金」は、支持重錘の上部位置に固定され上方に延出する針金である。上端位置には、道糸と直接或いはヨリモドシを介して結着される環部が通常は設けられているが本発明の必須要件ではない。テンビンの目的の一つは、テンビン部材先端に取設された釣り針と、この固定針金の上端に取設された道糸とを、いかなる場面においても絡ませないところにある。そこで、仕掛の飛行中及び着水の瞬間においても道糸と釣り針が近接しないように、テンビン部材が最大に閉じた時でも固定針金と平行にはならないように、切欠部の高さを設計したり、固定針金の長さを長くする等の方策があるが、本発明はそうした構造に限定しない。
【発明の効果】
【００１０】
本発明は、以下述べる効果を有する極めて高度な発明である。
【００１１】
（１）  仕掛飛行中、テンビン部材が閉じて飛行方向とほぼ平行な姿勢となっているために、受ける空気抵抗が小さくなり、遠投が容易になる。
（２）  テンビン部材の開閉並びに回動域の制御は、縦割りに二分割された重錘に刻設された切欠部を合体させることで形成される溝穴内でなされるので、極めてシンプルな構造となり、破損や故障を生じにくい。
（３）  個々の溝穴を回動する各テンビン部材は、分割部材同士の接合面を界面とし、他方の溝穴に移動することがないので、テンビン部材同士の摩擦によって回動が阻害されるということがない。
【発明を実施するための最良の形態】
【００１２】
以下図面に基づいて本発明を更に詳細に説明する。
【実施例】
【００１３】
図１は、本発明に係る遠投用両テンビン１（以下「本発明テンビン１」という）に、道糸Ｌ、ハリスＳ、釣り針Ｈを取り付けて、投げ釣り仕掛を完成させた状態を示すものである。本発明テンビン１は、支持重錘２、二本のテンビン部材３、固定針金４とにより構成されるものであり、テンビン部材３は共に重錘下部近くにあるハトメ金具２１を中心に可回動となっており、本図の状態はテンビン部材３可動域の上限位置であり、下限位置は図示はしていないが水平（支持重錘２の長手方向に対して直角）である。また、テンビン部材３の先端には環部３１が形成されておりこれに近接して小重錘３２が取り付けられている。使用に際しては図の如く環部３１にハリスＳと釣り針Ｈを取り付ける。本例ではハリスＳを環部３１に直接結着しているが、ヨリモドシなどの部材を介して連結するようにしても良い。また固定針金４は、支持重錘２の上端から上方に伸びるように取設された線材であり、テンビン部材３の如き回動はしない。この固定針金４の上端には環部４１が形成されており道糸ＬがヨリモドシＹを介して結着されている。道糸Ｌが、仕掛飛行中に本発明テンビン１と絡むことがないように、固定針金４は長くなっている。
【００１４】
図２（ａ）（ｂ）は、本発明テンビン１の支持重錘２の構造を示すものである。支持重錘２は、縦割りに二分割された形状の分割部材２Ａを、ハトメ金具２１によって合体させてなるものである。なお、本例の場合には全く同一形状の部材二つで完成されるよう設計されている。即ち分割部材２Ａは、下部孔２２と上部孔２３の二つの貫通孔を有する。また上部孔２３の周縁部から上端にかけて、固定針金４の下端部分を内包するための凹溝２４が設けられている。二個の分割部材２Ａを合体させることで固定針金４を内包するものであるのでこの凹溝２４の深さは、固定針金４の厚み（径）の半分で丁度収まるということになる。凹溝２４に嵌め込む固定針金４の下端部分には、上端部と同様に環部４１が形成されており、この環部の孔にハトメ金具２１の軸部分が嵌り込むことになる。
【００１５】
なお本例では、二個の分割部材２Ａを合体させるためにハトメ金具２１を用いたが、これは本発明にとって必須の部材ではない。例えば分割部材の一方に突起を設け、他方の分割部材に刻設された穴に嵌め込んで係合するようにしても良い。この場合には、同一部品を２個合体させるこれまでの例とは異なって、構造の異なる部品を合体させることとなるが、支持重錘２の表面にハトメ金具２１や、それを貫通させるための孔を無くすことができるのですっきりとした外観のものとなる（図示せず）。
【００１６】
凹溝２４の下から下部孔２２の僅かに下にかけて切欠部２５が設けられている。この切欠部２５は、同図（ｂ）からも明らかなように片側（図示した例では右側）のみが端部にまで至っており、他端（図示した例では左側）は壁部２６によって閉塞している。従って同図（ｂ）の左側の分割部材２Ａを裏返して右側の分割部材２Ａに重ねると、左右に溝が形成されることになる。この溝が、テンビン部材３回動のための空間となる。
【００１７】
図３は、本発明テンビン１の構造の詳細を示すための分解斜視図である。本発明テンビン１の製造方法については何ら限定するものではないが、一般的にはまず一個の分割部材２Ａの下部孔２２と上部孔２３にハトメ金具２１を通し、ここに固定針金４とテンビン部材３を一本嵌め込み、ここに他方の分割部材２Ａ及びもう一本のテンビン部材３を重ね合わせ、ハトメ金具２１の端部を打撃して製造が完了する。
【００１８】
分割部材２Ａに、固定針金４とテンビン部材３を嵌め込んだ状態を図４で示す。固定針金４は一切（又は殆ど）回動せず、またテンビン部材３は９０度弱の可動域（図の太矢印部分）で自由に回動できる構造となっていることが明らかである。
【００１９】
またテンビン部材３端部の環部３１は、一本のハトメ金具２１の軸上に二つ、接する形で存在することになる。しかし図４のＸ−Ｘ断面図であるところの図５からも明らかなように、各テンビン部材３は、自身が格納されている切欠部２５と、他方の分割部材２Ａの壁部２６とで囲まれる空間でのみ存在し、他方のテンビン部材３の存在し得る空間とは重なることがない。従って仕掛が着水した後に、一方から負荷を受けたとしても、テンビン部材３同士の摩擦力によってその回動が阻害される恐れはない。
【図面の簡単な説明】
【００２０】
【図１】本発明に係る遠投用両テンビンの使用状態の一例を示す正面図である。
【図２】（ａ）（ｂ）は、二個を合体させて成る支持重錘の構造を示すものであり、同図（ａ）は合体面を対向させた状態の斜視図、同図（ｂ）はこれらを並べた正面図である。
【図３】本発明に係る遠投用両テンビンの一例の分解斜視図である。
【図４】分解部材に固定針金とテンビン部材を嵌め込んだ状態を示す正面図である。
【図５】図４のＸ−Ｘ断面図である。
【符号の説明】
【００２１】
１    本発明に係る遠投用両テンビン
２    支持重錘
２１  ハトメ金具
２２  下部孔
２３  上部孔
２４  凹溝
２５  切欠部
２６  壁部
２Ａ  分割部材
３    テンビン部材
３１  環部
３２  小重錘
４    固定針金
４１  環部
Ｌ    道糸
Ｓ    ハリス
Ｈ    釣り針
Ｙ    ヨリモドシ
【図１】
2008220182.tif 000003
【図２】
2008220182.tif 000004
【図３】
2008220182.tif 000005
【図４】
2008220182.tif 000006
【図５】
2008220182.tif 000007